(57)【要約】【課題】適正な止水性能を確保した端子付き電線を製造することができる端子付き電線製造方法、及び、端子付き電線製造装置を提供することを目的とする。【解決手段】端子付き電線製造方法は、電線の導体部に対して圧着される導体圧着部、及び、電線の絶縁被覆部に対して圧着される被覆圧着部を含む圧着端子を電線に圧着する前に、圧着端子において、圧着端子が電線に圧着された状態で圧着端子と導体部と絶縁被覆部の端末とによって囲まれた隙間空間部を形成する部位に対して、第１防食材を塗布する圧着前塗布工程（ステップＳＴ２）と、圧着前塗布工程（ステップＳＴ２）の後に、導体圧着部を導体部に圧着し被覆圧着部を絶縁被覆部に圧着すると共に、導体圧着部、及び、被覆圧着部の圧着に伴って第１防食材を導体部を介して当該導体圧着部と当該被覆圧着部との間から外部にしみ出させる圧着浸透工程（ステップＳＴ３）とを含む。【選択図】図３
2020144979.tif 000002
【特許請求の範囲】
【請求項１】
絶縁性を有する絶縁被覆部で導電性を有する導体部を被覆した電線の前記絶縁被覆部の端末から露出する前記導体部に対して圧着される導体圧着部、及び、前記絶縁被覆部に対して圧着される被覆圧着部を含む圧着端子を前記電線に圧着する前に、前記圧着端子において、前記圧着端子が前記電線に圧着された状態で前記圧着端子と前記導体部と前記絶縁被覆部の端末とによって囲まれた隙間空間部を形成する部位に対して、第１防食材を塗布する圧着前塗布工程と、
前記圧着前塗布工程の後に、前記導体圧着部を前記導体部に圧着し前記被覆圧着部を前記絶縁被覆部に圧着すると共に、前記導体圧着部、及び、前記被覆圧着部の圧着に伴って前記第１防食材を前記導体部を介して当該導体圧着部と当該被覆圧着部との間から外部にしみ出させる圧着浸透工程とを含むことを特徴とする、
端子付き電線製造方法。
【請求項２】
前記導体圧着部は、前記被覆圧着部側の端部に、前記導体部が位置する側に突出し前記導体部の延在方向と交差する方向に沿って延在して形成される凸部を有する、
請求項１に記載の端子付き電線製造方法。
【請求項３】
前記圧着前塗布工程では、前記圧着端子が前記電線に圧着された状態で前記被覆圧着部の前記導体圧着部側とは反対側の端部が位置する部位に前記第１防食材が広がるように当該第１防食材を塗布する、
請求項１又は請求項２に記載の端子付き電線製造方法。
【請求項４】
前記圧着浸透工程の後に、前記圧着端子から露出している前記導体部、前記導体圧着部、及び、前記絶縁被覆部に第２防食材を塗布する圧着後塗布工程を含む、
請求項１乃至請求項３のいずれか１項に記載の端子付き電線製造方法。
【請求項５】
前記第１防食材、及び、前記第２防食材は、露光することで硬化する光硬化樹脂であり、
さらに、前記第１防食材、及び、前記第２防食材に対して光を照射し硬化させる硬化工程を含む、
請求項４に記載の端子付き電線製造方法。
【請求項６】
絶縁性を有する絶縁被覆部で導電性を有する導体部を被覆した電線の前記絶縁被覆部の端末から露出する前記導体部に対して圧着される導体圧着部、及び、前記絶縁被覆部に対して圧着される被覆圧着部を含む圧着端子を前記電線に圧着する前に、前記圧着端子において、前記圧着端子が前記電線に圧着された状態で前記圧着端子と前記導体部と前記絶縁被覆部の端末とによって囲まれた隙間空間部を形成する部位に対して、第１防食材を塗布する第１塗布装置と、
前記導体圧着部を前記導体部に圧着し前記被覆圧着部を前記絶縁被覆部に圧着すると共に、前記導体圧着部、及び、前記被覆圧着部の圧着に伴って前記第１防食材を前記導体部を介して当該導体圧着部と当該被覆圧着部との間から外部にしみ出させる圧着装置と、
前記第１塗布装置、及び、前記圧着装置を制御し、前記第１塗布装置によって前記第１防食材を塗布した後、前記圧着装置によって前記圧着端子を前記電線に圧着する処理を実行可能である制御装置とを備えることを特徴とする、
端子付き電線製造装置。
【発明の詳細な説明】
【技術分野】
【０００１】
本発明は、端子付き電線製造方法、及び、端子付き電線製造装置に関する。
【背景技術】
【０００２】
従来の端子付き電線製造方法として、例えば、特許文献１には、端子の底部の一部から突出する芯線圧着片が電線の芯線のうち絶縁被覆から露出している端部に対して圧着されると共に、芯線の露出部に防食処理がされている端子付電線の製造方法が開示されている。
【先行技術文献】
【特許文献】
【０００３】
【特許文献１】特開２０１８−１０６８６４号公報
【発明の概要】
【発明が解決しようとする課題】
【０００４】
ところで、上述の特許文献１に記載の端子付電線の製造方法は、例えば、より確実な止水性能確保の点で更なる改善の余地がある。
【０００５】
本発明は、上記の事情に鑑みてなされたものであって、適正な止水性能を確保した端子付き電線を製造することができる端子付き電線製造方法、及び、端子付き電線製造装置を提供することを目的とする。
【課題を解決するための手段】
【０００６】
上記目的を達成するために、本発明に係る端子付き電線製造方法は、絶縁性を有する絶縁被覆部で導電性を有する導体部を被覆した電線の前記絶縁被覆部の端末から露出する前記導体部に対して圧着される導体圧着部、及び、前記絶縁被覆部に対して圧着される被覆圧着部を含む圧着端子を前記電線に圧着する前に、前記圧着端子において、前記圧着端子が前記電線に圧着された状態で前記圧着端子と前記導体部と前記絶縁被覆部の端末とによって囲まれた隙間空間部を形成する部位に対して、第１防食材を塗布する圧着前塗布工程と、前記圧着前塗布工程の後に、前記導体圧着部を前記導体部に圧着し前記被覆圧着部を前記絶縁被覆部に圧着すると共に、前記導体圧着部、及び、前記被覆圧着部の圧着に伴って前記第１防食材を前記導体部を介して当該導体圧着部と当該被覆圧着部との間から外部にしみ出させる圧着浸透工程とを含むことを特徴とする。
【０００７】
また、上記端子付き電線製造方法では、前記導体圧着部は、前記被覆圧着部側の端部に、前記導体部が位置する側に突出し前記導体部の延在方向と交差する方向に沿って延在して形成される凸部を有するものとすることができる。
【０００８】
また、上記端子付き電線製造方法は、前記圧着前塗布工程では、前記圧着端子が前記電線に圧着された状態で前記被覆圧着部の前記導体圧着部側とは反対側の端部が位置する部位に前記第１防食材が広がるように当該第１防食材を塗布するものとすることができる。
【０００９】
また、上記端子付き電線製造方法は、前記圧着浸透工程の後に、前記圧着端子から露出している前記導体部、前記導体圧着部、及び、前記絶縁被覆部に第２防食材を塗布する圧着後塗布工程を含むものとすることができる。
【００１０】
また、上記端子付き電線製造方法では、前記第１防食材、及び、前記第２防食材は、露光することで硬化する光硬化樹脂であり、さらに、前記第１防食材、及び、前記第２防食材に対して光を照射し硬化させる硬化工程を含むものとすることができる。
【００１１】
上記目的を達成するために、本発明に係る端子付き電線製造装置は、絶縁性を有する絶縁被覆部で導電性を有する導体部を被覆した電線の前記絶縁被覆部の端末から露出する前記導体部に対して圧着される導体圧着部、及び、前記絶縁被覆部に対して圧着される被覆圧着部を含む圧着端子を前記電線に圧着する前に、前記圧着端子において、前記圧着端子が前記電線に圧着された状態で前記圧着端子と前記導体部と前記絶縁被覆部の端末とによって囲まれた隙間空間部を形成する部位に対して、第１防食材を塗布する第１塗布装置と、前記導体圧着部を前記導体部に圧着し前記被覆圧着部を前記絶縁被覆部に圧着すると共に、前記導体圧着部、及び、前記被覆圧着部の圧着に伴って前記第１防食材を前記導体部を介して当該導体圧着部と当該被覆圧着部との間から外部にしみ出させる圧着装置と、前記第１塗布装置、及び、前記圧着装置を制御し、前記第１塗布装置によって前記第１防食材を塗布した後、前記圧着装置によって前記圧着端子を前記電線に圧着する処理を実行可能である制御装置とを備えることを特徴とする。
【発明の効果】
【００１２】
本発明に係る端子付き電線製造方法、及び、端子付き電線製造装置では、圧着端子を電線に圧着する前に、圧着端子と導体部と絶縁被覆部の端末とによって囲まれた隙間空間部を形成することとなる部位に防食材を塗布する。その後、端子付き電線製造方法、端子付き電線製造装置では、導体圧着部、被覆圧着部を導体部、絶縁被覆部に圧着すると共に、当該圧着に伴って第１防食材を導体部を介して当該導体圧着部と当該被覆圧着部との間から外部にしみ出させる。これにより、端子付き電線製造方法、端子付き電線製造装置では、圧着端子と導体部と絶縁被覆部の端末とによって囲まれた隙間空間部に加えて、電線の導体部において導体圧着部と被覆圧着部との間から外部に露出する部分を第１防食材によって確実に止水することができる。この結果、端子付き電線製造方法、及び、端子付き電線製造装置は、適正な止水性能を確保した端子付き電線を製造することができる、という効果を奏する。
【図面の簡単な説明】
【００１３】
【図１】図１は、実施形態に係る端子付き電線の概略構成を表す斜視図である。
【図２】図２は、実施形態に係る端子付き電線の圧着端子圧着前の状態を表す分解斜視図である。
【図３】図３は、実施形態に係る端子付き電線製造方法を表すフローチャートである。
【図４】図４は、実施形態に係る端子付き電線製造方法を実行する端子付き電線製造装置の概略構成を表す模式的なブロック図である。
【図５】図５は、実施形態に係る端子付き電線製造方法の圧着前塗布工程の一例を表す斜視図である。
【図６】図６は、実施形態に係る端子付き電線製造方法の圧着浸透工程後の状態を表す模式的な断面図である。
【図７】図７は、実施形態に係る端子付き電線製造方法の圧着後塗布工程の一例を表す斜視図である。
【図８】図８は、実施形態に係る端子付き電線製造方法の硬化工程の一例を表す斜視図である。
【図９】図９は、実施形態に係る端子付き電線製造方法の硬化工程後の状態を表す模式的な断面図である。
【図１０】図１０は、変形例に係る端子付き電線製造方法を表すフローチャートである。
【図１１】図１１は、変形例に係る端子付き電線製造方法を実行する端子付き電線製造装置の概略構成を表す模式的なブロック図である。
【発明を実施するための形態】
【００１４】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１５】
［実施形態］
本実施形態に係る端子付き電線製造方法は、図１、図２に示す端子付き電線１００を製造するものである。以下では、まず、図１、図２に示す端子付き電線１００の基本的な構成について説明し、その後、端子付き電線製造方法について詳細に説明する。
【００１６】
図１、図２に示す端子付き電線１００は、例えば、車両等に使用されるワイヤハーネス等に適用されるものである。ここで、ワイヤハーネスは、例えば、車両に搭載される各装置間の接続のために、電源供給や信号通信に用いられる複数の電線Ｗを束にして集合部品とし、コネクタ等で複数の電線Ｗを各装置に接続するようにしたものである。本実施形態の端子付き電線１００は、電線Ｗと、当該電線Ｗの端末に圧着された圧着端子１と、防食材（後述の第１防食材１１ａ、第２防食材１２ａ（図９等参照））によって形成され各部を止水する防食止水部１０とを備える。
【００１７】
なお、以下の説明では、互いに交差する第１方向、第２方向、及び、第３方向のうち、第１方向を「軸方向Ｘ」といい、第２方向を「幅方向Ｙ」といい、第３方向を「高さ方向Ｚ」という。ここでは、軸方向Ｘと幅方向Ｙと高さ方向Ｚとは、相互に略直交する。軸方向Ｘは、典型的には、圧着端子１が設けられる電線Ｗの延在方向に相当し、圧着端子１の電気接続部２と電線圧着部４とが並ぶ方向に相当する。幅方向Ｙと高さ方向Ｚとは、軸方向Ｘと交差する交差方向に相当する。また、以下の説明で用いる各方向は、特に断りのない限り、各部が相互に組み付けられた状態での方向を表すものとする。
【００１８】
電線Ｗは、例えば、導電性を有する線状の導体部Ｗ１と、当該導体部Ｗ１の外側を覆う絶縁性の絶縁被覆部Ｗ２とを含んで構成される。電線Ｗは、絶縁被覆部Ｗ２で導体部Ｗ１を被覆した絶縁電線である。本実施形態の導体部Ｗ１は、導電性の金属、例えば、銅、銅合金、アルミニウム、アルミニウム合金等の素線を複数束ねた芯線であるが、複数の素線を撚り合わせた撚り芯線であってもよい。絶縁被覆部Ｗ２は、導体部Ｗ１の外周側を被覆する電線被覆である。絶縁被覆部Ｗ２は、例えば、絶縁性の樹脂材料（ＰＰやＰＶＣ、架橋ＰＥ等。耐摩耗性や耐薬品性、耐熱性等に配慮して適宜選定される。）等を押出成形することによって形成される。電線Ｗは、少なくとも導体部Ｗ１の一方の端末において、絶縁被覆部Ｗ２が剥ぎ取られており、当該導体部Ｗ１の一方の端末が絶縁被覆部Ｗ２の端末Ｗ２ａから露出しており、当該露出している導体部Ｗ１の端末に圧着端子１が圧着される。ここでは、電線Ｗは、線状に延びる延在方向に対してほぼ同じ径で延びるように形成され、導体部Ｗ１の断面形状（延在方向と交差する方向の断面形状）が略円形状、絶縁被覆部Ｗ２の断面形状が略円環形状となっており、全体として略円形状の断面形状となっている。
【００１９】
圧着端子１は、電気接続部２と、連結部３と、電線圧着部４とを備える。電気接続部２と連結部３と電線圧着部４とは、全体が一体で導電性の金属、例えば、銅、銅合金、アルミニウム、アルミニウム合金等によって構成され、端子金具５を構成する。圧着端子１は、例えば、電気接続部２、連結部３、電線圧着部４等の各部に対応した形状に打ち抜かれた一枚の板金をプレス及び折り曲げ成形することにより各部が立体的に一体で形成される。圧着端子１は、軸方向Ｘに沿って一方側から他方側に向かって、電気接続部２、連結部３、電線圧着部４の順で並んで相互に連結される。
【００２０】
電気接続部２は、導電性部材と電気的に接続される部分である。本実施形態の導電性部材は、例えば、相手側端子（不図示）である。すなわちここでは、本実施形態の電気接続部２は、相手側端子に対して電気的に接続される端子接続部として構成される。電気接続部２は、雄型の端子形状であってもよいし、雌型の端子形状であってもよい。本実施形態の電気接続部２は、雌型の端子形状として図示しており、雄型の端子形状の相手側端子と電気的に接続される。なお、導電性部材は、相手側端子でなくてもよく、例えば、アース部材等の種々の導電性の部材であってもよい。電気接続部２は、相手側端子に対して電気的に接続される端子接続部を構成しなくてもよく、例えば、アース部材等に締結されるいわゆる丸形端子（ＬＡ端子）形状であってもよい。
【００２１】
連結部３は、電気接続部２と電線圧着部４との間に介在し、当該電気接続部２と当該電線圧着部４とを連結する部分である。圧着端子１は、電気接続部２と電線圧着部４とが連結部３を介して電気的に接続され、当該電線圧着部４を介して電気接続部２と電線Ｗの導体部Ｗ１とが電気的に接続され導通される。
【００２２】
電線圧着部４は、圧着端子１と電線Ｗの端末とを電気的に接続する部分である。電線圧着部４は、電線Ｗの端末に加締められ圧着される。電線圧着部４は、基部４１、及び、二組の一対のバレル片部４２、４３、４４、４５を含んで構成される。電線圧着部４は、基部４１と二組の一対のバレル片部４２、４３、４４、４５とによって電線Ｗに対して加締められ圧着される。電線圧着部４は、基部４１、及び、二組の一対のバレル片部４２、４３、４４、４５によって、導体圧着部４６、中間部４７、及び、被覆圧着部４８が構成される。言い換えれば、電線圧着部４は、基部４１、及び、二組の一対のバレル片部４２、４３、４４、４５によって構成される導体圧着部４６、中間部４７、及び、被覆圧着部４８を含んで構成される。導体圧着部４６は、基部４１の一部、及び、一対のバレル片部４２、４３によって構成される。中間部４７は、基部４１の一部によって構成される。被覆圧着部４８は、基部４１の一部、及び、一対のバレル片部４４、４５によって構成される。電線圧着部４は、軸方向Ｘに沿って電気接続部２側から反対側に向かって、導体圧着部４６、中間部４７、被覆圧着部４８の順で並んで相互に連結される。そして、電線圧着部４は、中間部４７を介して一対のバレル片部４２、４３と一対のバレル片部４４、４５とが分断されたいわゆる別体バレル型の圧着部を構成する。
【００２３】
基部４１は、軸方向Ｘに沿って延在し、Ｕ字状に形成された電線圧着部４の底壁となる部分である。基部４１は、圧着加工の際に電線Ｗの端部が載置される。基部４１は、軸方向Ｘの一方側に連結部３を介して電気接続部２が連結される。なお、基部４１は、圧着加工前の状態において軸方向Ｘの他方側にキャリアが連結されており、例えば、圧着加工時にキャリアから切断される。
【００２４】
一対のバレル片部４２、４３は、基部４１の一部と共に導体圧着部４６を構成する部分である。導体圧着部４６は、電線圧着部４において軸方向Ｘの一端側、ここでは、電気接続部２側に設けられ電線Ｗの導体部Ｗ１に対して加締められ圧着される部分である。更に言えば、導体圧着部４６は、導体部Ｗ１に対して加締められ圧着されることで、当該導体部Ｗ１と電気的に接続される部分である。一対のバレル片部４２、４３は、当該導体圧着部４６において基部４１から幅方向Ｙの両側にそれぞれ帯状に延びて形成され、基部４１との間に電線Ｗの導体部Ｗ１を包んで加締められ圧着される部分である。バレル片部４２、４３は、圧着加工前の状態において、Ｕ字状に形成された電線圧着部４の側壁となる部分である。バレル片部４２は、基部４１から軸方向Ｘと交差する幅方向Ｙの一方側に延びる。バレル片部４３は、基部４１から幅方向Ｙの他方側に延びる。バレル片部４２、４３は、電線Ｗの導体部Ｗ１に対して加締められ圧着される前の状態（図２参照）では、基部４１に対して曲げ加工が施され当該基部４１とあわせて略Ｕ字状に成形されている。本実施形態の一対のバレル片部４２、４３は、電線Ｗに対して巻き付けられて加締められ、圧着された状態で、互いに重なり合わない（オーバーラップしない）ように基部４１側の根元から先端までの長さが設定されている。一対のバレル片部４２、４３は、基部４１側の根元から先端までの長さが互いに等しくてもよく、一方の長さが他方の長さよりも長くてもよい。ここでは、一対のバレル片部４２、４３は、いわゆるＢクリンプと称する加締め圧着がなされるものとして図示しているがこれに限らない。Ｂクリンプでは、バレル片部４２、４３のそれぞれが基部４１側に向けて折り曲げられて先端部が電線Ｗに向けて押しつけられるように加締められ圧着される。導体圧着部４６は、基部４１、及び、一対のバレル片部４２、４３によって、一対のバレル片部４２、４３の間に位置する電線Ｗの導体部Ｗ１の外側を包んで導体部Ｗ１に対して加締められ圧着される。なお、導体圧着部４６は、上記の形式に限らず、例えば、一対のバレル片部４２、４３が電線Ｗに対して巻き付けられて加締められ、圧着された状態で、互いに重なり合う（オーバーラップする）ように構成されてもよい。
【００２５】
なお、本実施形態の導体圧着部４６は、基部４１、及び、一対のバレル片部４２、４３において導体部Ｗ１と接触する部分に、セレーション４６ａ（図６等も参照）を有する。セレーション４６ａは、導体部Ｗ１との接触面積を増やし接触安定性を向上すると共に凝着強度を向上するためのエッジを形成する部分である。セレーション４６ａは、基部４１、及び、一対のバレル片部４２、４３において導体部Ｗ１が位置する側の面（すなわち、導体部Ｗ１を載置する内面側の載置面）に当該導体部Ｗ１側が窪み当該導体部Ｗ１とは反対側（外側）が平坦に形成される。ここでは、セレーション４６ａは、プレス等により略円形状の浅い溝として形成され、格子状に並んで複数設けられる。
【００２６】
また、導体圧着部４６は、基部４１、及び、一対のバレル片部４２、４３において導体部Ｗ１と接触する部分に、セレーション４６ａとは別に一対の凸部４６ｂ、４６ｃ（図６等も参照）を有する。凸部４６ｂ、４６ｃは、それぞれ、基部４１、及び、一対のバレル片部４２、４３において導体部Ｗ１が位置する側の面（すなわち、導体部Ｗ１を載置する内面側の載置面）に当該導体部Ｗ１側に向けて凸状に突出し、当該導体部Ｗ１とは反対側（外側）の面が凹状に窪んで形成される。凸部４６ｂ、４６ｃは、それぞれ、基部４１、及び、一対のバレル片部４２、４３に渡って幅方向Ｙに沿って直線状に延在して形成される。凸部４６ｂと凸部４６ｃとは、軸方向Ｘに対して上述した複数のセレーション４６ａを挟んで、互いに略平行に形成される。ここでは、凸部４６ｂは、導体圧着部４６において、軸方向Ｘの被覆圧着部４８側とは反対側の端部、すなわち、電気接続部２側の端部に形成される。一方、凸部４６ｃは、導体圧着部４６において、軸方向Ｘの被覆圧着部４８側の端部に形成される。
【００２７】
一対のバレル片部４４、４５は、基部４１の一部と共に被覆圧着部４８を構成する部分である。被覆圧着部４８は、電線圧着部４において軸方向Ｘの他端側、ここでは、電気接続部２側とは反対側に設けられ電線Ｗの絶縁被覆部Ｗ２に対して加締められ圧着される部分である。ここでは、電線圧着部４は、軸方向Ｘに対して当該被覆圧着部４８と導体圧着部４６との間に中間部４７が介在する。中間部４７は、導体圧着部４６と被覆圧着部４８との間に介在し、当該導体圧着部４６と当該被覆圧着部４８とを連結する部分である。一対のバレル片部４４、４５は、当該被覆圧着部４８において基部４１から幅方向Ｙの両側にそれぞれ帯状に延びて形成され、基部４１との間に電線Ｗの絶縁被覆部Ｗ２を包んで加締められ圧着される部分である。バレル片部４４、４５は、圧着加工前の状態において、Ｕ字状に形成された電線圧着部４の側壁となる部分である。バレル片部４４は、基部４１から軸方向Ｘと交差する幅方向Ｙの一方側に延びる。バレル片部４５は、基部４１から幅方向Ｙの他方側に延びる。バレル片部４４、４５は、電線Ｗの絶縁被覆部Ｗ２に対して加締められ圧着される前の状態（図２参照）では、基部４１に対して曲げ加工が施され当該基部４１とあわせて略Ｕ字状に成形されている。バレル片部４４、４５は、それぞれバレル片部４２、４３との間に中間部４７が介在することで当該バレル片部４２、４３と間隔をあけて分断して形成される。本実施形態の一対のバレル片部４４、４５は、電線Ｗに対して巻き付けられて加締められ、圧着された状態で、互いに重なり合わない（オーバーラップしない）ように基部４１側の根元から先端までの長さが設定され、かつ、軸方向Ｘにずらされて形成される。一対のバレル片部４４、４５は、基部４１側の根元から先端までの長さが互いに等しくてもよく、一方の長さが他方の長さよりも長くてもよい。被覆圧着部４８は、基部４１、及び、一対のバレル片部４４、４５によって、一対のバレル片部４４、４５の間に位置する電線Ｗの絶縁被覆部Ｗ２の外側を包んで絶縁被覆部Ｗ２に対して加締められ圧着される。なお、被覆圧着部４８は、一対のバレル片部４４、４５が電線Ｗに対して巻き付けられて加締められ、圧着された状態で、互いに重なり合う（オーバーラップする）ように構成されてもよい。
【００２８】
防食止水部１０は、防食材（第１防食材１１ａ、第２防食材１２ａ（図９等参照））が硬化されることで形成され、端子付き電線１００の各部を止水するものである。ここでは、防食止水部１０は、後述する図９に示すように、第１防食止水部１１、第２防食止水部１２、及び、第３防食止水部１３を含んで構成される。第１防食止水部１１は、第１の防食材である第１防食材１１ａが圧着端子１の内側の所定の部位に施され硬化されることで当該圧着端子１の内側の所定の部位を止水する部分である。第２防食止水部１２は、第２の防食材である第２防食材１２ａが圧着端子１の外側の所定の部位に施され硬化されることで当該圧着端子１の外側の所定の部位を止水する部分である。第３防食止水部１３は、第１防食止水部１１と同様に、第１防食材１１ａが施され硬化されることで形成される部分であるが、ここでは、被覆圧着部４８の導体圧着部４６側とは反対側の端部４８ａ（図９等参照）に設けられ止水する部分である。本実施形態の第１防食材１１ａ、第２防食材１２ａは、ともに露光することで硬化度が変化し硬化する樹脂であり、例えば、紫外線を照射することで硬化するＵＶ（Ｕｌｔｒａｖｉｏｌｅｔ、紫外線）硬化型樹脂を用いることができる。つまりここでは、防食止水部１０は、光硬化樹脂である第１防食材１１ａ、第２防食材１２ａが硬化されることで形成される。ＵＶ硬化型樹脂としては、例えば、ウレタンアクリレート系の樹脂を用いることができるがこれに限らない。第１防食材１１ａと第２防食材１２ａとは、典型的には、同じＵＶ硬化型樹脂を用いることができるが、例えば、それぞれの塗布時の状況等に応じて異なるものを用いてもよく、例えば、粘度等を相互に異ならせてもよい。第１防食材１１ａは、典型的には、後述する圧着前塗布工程（ステップＳＴ２）で、所定の部位に塗布されるものである。一方、第２防食材１２ａは、典型的には、後述する圧着後塗布工程（ステップＳＴ５）で、所定の部位に塗布されるものである。
【００２９】
次に、図３乃至図９を参照して、上記のように構成される端子付き電線１００の製造方法（端子付き電線製造方法）について説明する。以下の説明では、図３のフローチャートを基に説明しつつ、適宜他図を参照する。以下で説明する端子付き電線１００の製造方法は、作業員が種々の装置、機器、治具等を用いて手作業で行ってもよいし、種々の製造装置によって自動で行われるものであってもよい。
【００３０】
本実施形態の端子付き電線１００の製造方法は、図４に示す端子付き電線製造装置としての製造装置Ｍによって自動で行われるものとして説明する。製造装置Ｍは、皮剥き装置Ｍ１と、端子供給装置Ｍ２と、第１塗布装置Ｍ３と、圧着装置Ｍ４と、端子切断装置Ｍ５と、第２塗布装置Ｍ６と、硬化装置Ｍ７と、制御装置Ｍ８とを備える。端子供給装置Ｍ２と圧着装置Ｍ４と端子切断装置Ｍ５とは、例えば、一体で構成されることでこの技術分野においてアプリケータと称される場合がある。また、皮剥き装置Ｍ１、第１塗布装置Ｍ３、第２塗布装置Ｍ６、硬化装置Ｍ７、制御装置Ｍ８等は、このアプリケータに組み込まれて構成されてもよい。
【００３１】
皮剥き装置Ｍ１は、電線Ｗの一方の端末において絶縁被覆部Ｗ２を剥ぎ取り、当該導体部Ｗ１の一方の端末を絶縁被覆部Ｗ２の端末Ｗ２ａ（図６等参照）から露出させる自動ストリップ装置である。この皮剥き装置Ｍ１は、皮剥き工程（ステップＳＴ１）を行うものである。
【００３２】
端子供給装置Ｍ２は、リール状に巻き取られている端子連鎖体の外周側における先頭の圧着端子１を引き出して順次下流側の装置（ここでは第１塗布装置Ｍ３等）に供給していく供給装置である。ここで、端子連鎖体は、プレス工程や折り曲げ工程によって各部の形状が形成された圧着加工前の複数の圧着端子１をキャリア等を介して連結したものであり、リール状に巻き取られた状態で端子供給装置Ｍ２に設けられる。
【００３３】
第１塗布装置Ｍ３は、ピストンの往復動等によって定量の第１防食材１１ａをディスペンサ等のノズルＭ３ａ（図５等参照）に向けて圧送する装置である。そして、第１塗布装置Ｍ３は、ノズルＭ３ａに圧送された第１防食材１１ａの液滴を当該ノズルＭ３ａから射出し塗布する。第１塗布装置Ｍ３は、後述する塗布対象部位１１ｂ（図５等参照）に対してノズルＭ３ａを軸方向Ｘ、及び、幅方向Ｙに沿って相対移動可能であり、この構成により、任意の位置の塗布対象部位１１ｂに第１防食材１１ａを塗布することができる。この第１塗布装置Ｍ３は、圧着前塗布工程（ステップＳＴ２）を行うものである。
【００３４】
圧着装置Ｍ４は、いわゆる下型としてのアンビル、上型としてのクリンパと呼ばれる型を用いて、導体圧着部４６を導体部Ｗ１に圧着し被覆圧着部４８を絶縁被覆部Ｗ２に圧着する装置である。この圧着装置Ｍ４は、圧着浸透工程（ステップＳＴ３）を行うものである。
【００３５】
端子切断装置Ｍ５は、圧着後の圧着端子１を端子連鎖体からの切り離す装置である。この端子切断装置Ｍ５は、切断工程（ステップＳＴ４）を行うものである。端子切断装置Ｍ５は、圧着装置Ｍ４による圧着端子１の圧着（圧着浸透工程）の進行と同時に圧着端子１の端子連鎖体からの切り離し（切断工程）を行うようにしてもよい。
【００３６】
第２塗布装置Ｍ６は、第１塗布装置Ｍ３と同様に、ピストンの往復動等によって定量の第２防食材１２ａをディスペンサ等のノズルＭ６ａ（図７等参照）に向けて圧送する装置である。そして、第２塗布装置Ｍ６は、ノズルＭ６ａに圧送された第２防食材１２ａの液滴を当該ノズルＭ６ａから射出し塗布する。第２塗布装置Ｍ６は、後述する塗布対象部位１２ｂ（図７等参照）に対してノズルＭ６ａを軸方向Ｘ、及び、幅方向Ｙに沿って相対移動可能であり、この構成により、任意の位置の塗布対象部位１２ｂに第２防食材１２ａを塗布することができる。この第２塗布装置Ｍ６は、圧着後塗布工程（ステップＳＴ５）を行うものである。なお、第１塗布装置Ｍ３と第２塗布装置Ｍ６とは、兼用されてもよい。
【００３７】
硬化装置Ｍ７は、光源Ｍ７ａ（図８等参照）から第１防食材１１ａ、及び、第２防食材１２ａに対して光を照射し硬化させる装置である。光源Ｍ７ａは、ＵＶ−ＬＥＤ（Ｌｉｇｈｔ  Ｅｍｉｔｔｉｎｇ  Ｄｉｏｄｅ）を用いることができる。光源Ｍ７ａとして用いられるＵＶ−ＬＥＤは、ＵＶ硬化型樹脂である第１防食材１１ａ、第２防食材１２ａを硬化させるための紫外線を照射可能な発光素子である。この硬化装置Ｍ７は、硬化工程（ステップＳＴ６）を行うものである。
【００３８】
制御装置Ｍ８は、種々の演算処理を実行し、製造装置Ｍの各部を統括的に制御する部分である。制御装置Ｍ８は、ＣＰＵ（Ｃｅｎｔｒａｌ  Ｐｒｏｃｅｓｓｉｎｇ  Ｕｎｉｔ）等の中央演算処理装置、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）及びインターフェースを含む周知のマイクロコンピュータを主体とする電子回路を含んで構成される。制御装置Ｍ８は、皮剥き装置Ｍ１、端子供給装置Ｍ２、第１塗布装置Ｍ３、圧着装置Ｍ４、端子切断装置Ｍ５、第２塗布装置Ｍ６、硬化装置Ｍ７を制御し、皮剥き工程（ステップＳＴ１）、圧着前塗布工程（ステップＳＴ２）、圧着浸透工程（ステップＳＴ３）、切断工程（ステップＳＴ４）、圧着後塗布工程（ステップＳＴ５）、硬化工程（ステップＳＴ６）等の各工程を実行させる。ここでは、制御装置Ｍ８は、第１塗布装置Ｍ３によって第１防食材１１ａを塗布した後、圧着装置Ｍ４によって圧着端子１を電線Ｗに圧着し、第２塗布装置Ｍ６によって第２防食材１２ａを塗布し、硬化装置Ｍ７によって第１防食材１１ａ、及び、第２防食材１２ａを一括で硬化させる処理を実行する。以下、各工程について詳細に説明する。
【００３９】
まず、制御装置Ｍ８は、皮剥き工程として、皮剥き装置Ｍ１を制御し、電線Ｗの一方の端末において絶縁被覆部Ｗ２を剥ぎ取り、当該導体部Ｗ１の一方の端末を絶縁被覆部Ｗ２の端末Ｗ２ａ（図６等参照）から露出させる皮剥き処理を実行する（ステップＳＴ１）。そして、制御装置Ｍ８は、端子供給装置Ｍ２を制御し、端子連鎖体の外周側における先頭の圧着端子１を引き出して順次下流側の装置（ここでは第１塗布装置Ｍ３等）に供給していく処理を実行しながら、後段の工程を実行していく。
【００４０】
次に、制御装置Ｍ８は、皮剥き工程（ステップＳＴ１）の後に、図５に示すように、圧着前塗布工程として、第１塗布装置Ｍ３を制御し、圧着端子１を電線Ｗに圧着する前に、所定の部位に第１防食材１１ａを塗布する圧着前塗布処理を実行する（ステップＳＴ２）。本実施形態の制御装置Ｍ８は、圧着前塗布工程（圧着前塗布処理）では、ノズルＭ３ａから第１防食材１１ａの液滴を射出し、圧着端子１において図６に示す隙間空間部６を形成する部位に対して第１防食材１１ａを塗布する。
【００４１】
ここで、隙間空間部６は、図６に示すように、圧着端子１が電線Ｗに圧着された状態で圧着端子１と導体部Ｗ１と絶縁被覆部Ｗ２の端末Ｗ２ａとによって囲まれた空間部である。電線Ｗは、圧着端子１が圧着された状態では絶縁被覆部Ｗ２の端末Ｗ２ａが導体圧着部４６と被覆圧着部４８との間、すなわち、中間部４７に位置する。隙間空間部６は、圧着端子１の内側において、絶縁被覆部Ｗ２の当該端末Ｗ２ａの肉厚に応じた段差に起因して、圧着端子１の基部４１の内側面と導体部Ｗ１の外面との間に形成される隙間である。隙間空間部６は、絶縁被覆部Ｗ２の端末Ｗ２ａの肉厚に応じて生じる段差に沿って略円弧状の隙間として形成される。
【００４２】
第１塗布装置Ｍ３は、圧着前塗布工程（ステップＳＴ２）では、圧着端子１の圧着後の電線Ｗにおいて上記隙間空間部６を形成する部位に対して、圧着端子１の圧着前に第１防食材１１ａを塗布する。つまり、第１塗布装置Ｍ３は、圧着端子１の圧着前の電線Ｗにおいて、圧着後に隙間空間部６を形成することとなる部位を塗布対象部位（第１塗布対象部位）１１ｂとし、当該塗布対象部位１１ｂに対して第１防食材１１ａを塗布する。言い換えれば、塗布対象部位１１ｂは、上述した第１防食止水部１１（図９参照）を設ける部位である。ここでは、塗布対象部位１１ｂは、例えば、図５に示すように、圧着端子１において、中間部４７と被覆圧着部４８との接続部分でかつ基部４１の内側面に位置する部位である。第１塗布装置Ｍ３は、例えば、高さ方向Ｚにおいて、圧着端子１の基部４１の内側面の塗布対象部位１１ｂと対向するようにノズルＭ３ａを位置させ、当該ノズルＭ３ａから塗布対象部位１１ｂに対して第１防食材１１ａの液滴を射出し塗布する。
【００４３】
このとき、本実施形態の制御装置Ｍ８は、圧着前塗布工程（ステップＳＴ２）では、第１塗布装置Ｍ３を制御し、導体圧着部４６、及び、被覆圧着部４８の圧着に伴って第１防食材１１ａを導体部Ｗ１を介して当該導体圧着部４６と当該被覆圧着部４８との間から外部にしみ出させるために十分な量の第１防食材１１ａを塗布する。第１防食材１１ａの塗布量は、例えば、予め実証試験等によって、圧着端子１の電線Ｗへの圧着に伴って当該導体圧着部４６と当該被覆圧着部４８との間から外部にしみ出る量となるように調整される。
【００４４】
また、本実施形態の制御装置Ｍ８は、圧着前塗布工程（ステップＳＴ２）では、図６に示すように、第１塗布装置Ｍ３を制御し、下記のように第１防食材１１ａを塗布してもよい。すなわち、制御装置Ｍ８は、圧着端子１が電線Ｗに圧着された状態で被覆圧着部４８の端部４８ａが位置する部位に第１防食材１１ａが広がるように当該第１防食材１１ａを塗布するようにしてもよい。ここで、被覆圧着部４８の端部４８ａは、当該被覆圧着部４８の導体圧着部４６側とは反対側の端部である。つまり、第１塗布装置Ｍ３は、圧着端子１の圧着前の電線Ｗにおいて、圧着後に端部４８ａが位置する部位を塗布対象部位（第３塗布対象部位）１３ｂとし、圧着後に塗布対象部位１３ｂに第１防食材１１ａが広がるように第１防食材１１ａを塗布する。言い換えれば、塗布対象部位１３ｂは、上述した第３防食止水部１３（図９参照）を設ける部位である。第１塗布装置Ｍ３は、例えば、図５で例示した塗布対象部位１１ｂに対して、圧着端子１の圧着後に塗布対象部位１３ｂにまで広がるのに十分な量の第１防食材１１ａを塗布する。これにより、第１塗布装置Ｍ３は、圧着後に当該塗布対象部位１３ｂまで第１防食材１１ａがのびて広がるようにすることができる。また、第１塗布装置Ｍ３は、塗布対象部位１３ｂに直接、第１防食材１１ａを塗布することで、圧着後に当該塗布対象部位１３ｂに第１防食材１１ａが広がるようにすることもできる。
【００４５】
次に、制御装置Ｍ８は、圧着前塗布工程（ステップＳＴ２）の後に、圧着浸透工程として、圧着装置Ｍ４を制御し、圧着端子１の導体圧着部４６を導体部Ｗ１に圧着し被覆圧着部４８を絶縁被覆部Ｗ２に圧着する圧着浸透処理を実行する（ステップＳＴ３）。圧着装置Ｍ４は、圧着浸透工程（ステップＳＴ３）では、アンビル、クリンパを用いて圧着端子１の電線圧着部４を変形させながら、圧着端子１を電線Ｗに加締め圧着する。より詳細には、圧着装置Ｍ４は、アンビルの載置面上に電線圧着部４の基部４１が載置された状態で二組の一対のバレル片部４２、４３、４４、４５の間に皮剥きされた電線Ｗを載置する。圧着装置Ｍ４は、導体部Ｗ１が導体圧着部４６のバレル片部４２、４３の間に位置し絶縁被覆部Ｗ２が被覆圧着部４８のバレル片部４４、４５の間に位置し端末Ｗ２ａが導体圧着部４６と被覆圧着部４８との間に位置するように基部４１上に電線Ｗを載置する。そして、圧着装置Ｍ４は、アンビルと高さ方向Ｚに対向する位置に配置されたクリンパが高さ方向Ｚに沿って当該アンビル側に相対的に接近しながら、二組の一対のバレル片部４２、４３、４４、４５をそれぞれ基部４１側に押圧し徐々に内側に倒し変形させる。これにより、圧着装置Ｍ４は、導体圧着部４６において基部４１と一対のバレル片部４２、４３との間に導体部Ｗ１を包み込んで加締め、当該一対のバレル片部４２、４３を導体部Ｗ１に圧着する。同様に、圧着装置Ｍ４は、被覆圧着部４８において基部４１と一対のバレル片部４４、４５との間に絶縁被覆部Ｗ２を包み込んで加締め、当該一対のバレル片部４４、４５を絶縁被覆部Ｗ２に圧着する。圧着端子１は、図６に示すように、導体圧着部４６が導体部Ｗ１に圧着され被覆圧着部４８が絶縁被覆部Ｗ２に圧着された状態で導体圧着部４６と導体部Ｗ１とが直接的に接触、凝着し導通する。
【００４６】
このとき、圧着端子１は、圧着浸透工程（ステップＳＴ３）の前段の圧着前塗布工程（ステップＳＴ２）で圧着端子１の塗布対象部位１１ｂに第１防食材１１ａが塗布されている。このため、圧着端子１は、電線Ｗに圧着された状態で当該第１防食材１１ａが隙間空間部６に充填された状態となる。
【００４７】
その上で、圧着端子１は、導体圧着部４６、及び、被覆圧着部４８の圧着に伴って第１防食材１１ａが導体部Ｗ１の各素線の間を介して当該導体圧着部４６と当該被覆圧着部４８との間から外部にしみ出した状態となる。第１防食材１１ａは、導体部Ｗ１において、導体圧着部４６と絶縁被覆部Ｗ２の端末Ｗ２ａとの間に位置する中間露出部Ｗ１ｂから外部にしみ出す。すなわち、圧着装置Ｍ４は、この圧着浸透工程（ステップＳＴ３）では、図６に示すように、導体圧着部４６、及び、被覆圧着部４８の圧着に伴って第１防食材１１ａを導体部Ｗ１を介して当該導体圧着部４６と当該被覆圧着部４８との間から外部にしみ出させる。このとき、圧着端子１は、導体圧着部４６の被覆圧着部４８側の端部に凸部４６ｃを有しているので、凸部４６ｃによって、圧着に伴って第１防食材１１ａが導体圧着部４６と導体部Ｗ１との凝着部位側に押し出されることを抑制することができる。
【００４８】
またここでは、圧着端子１は、圧着浸透工程（ステップＳＴ３）の前段の圧着前塗布工程（ステップＳＴ２）で圧着端子１の塗布対象部位１１ｂに塗布された第１防食材１１ａが圧着後に被覆圧着部４８の端部４８ａ側の塗布対象部位１３ｂまで広がった状態となる。
【００４９】
次に、制御装置Ｍ８は、圧着浸透工程（ステップＳＴ３）の後に、あるいは、圧着浸透工程（ステップＳＴ３）と並行して、切断工程として、端子切断装置Ｍ５を制御し、電線Ｗに圧着された圧着端子１を端子連鎖体から切り離す切断処理を実行する（ステップＳＴ４）。
【００５０】
次に、制御装置Ｍ８は、切断工程（ステップＳＴ４）の後に、図７に示すように、圧着後塗布工程として、第２塗布装置Ｍ６を制御し、圧着端子１を電線Ｗに圧着した後に、所定の部位に第２防食材１２ａを塗布する圧着後塗布処理を実行する（ステップＳＴ５）。本実施形態の制御装置Ｍ８は、圧着後塗布工程（圧着後塗布処理）では、ノズルＭ６ａから第２防食材１２ａの液滴を射出し、図７に示す塗布対象部位（第２塗布対象部位）１２ｂに対して第２防食材１２ａを塗布する。言い換えれば、塗布対象部位１２ｂは、上述した第２防食止水部１２（図９参照）を設ける部位である。塗布対象部位１２ｂは、図７に示すように、圧着端子１から露出している導体部Ｗ１、導体圧着部４６、及び、絶縁被覆部Ｗ２に渡って、これら導体部Ｗ１、導体圧着部４６、及び、絶縁被覆部Ｗ２を覆う部位である。ここでは、塗布対象部位１２ｂは、導体部Ｗ１の各素線の間を介して当該導体圧着部４６と当該被覆圧着部４８との間から外部にしみ出した第１防食材１１ａの部分も含む。つまりここでは、塗布対象部位１２ｂは、圧着端子１から露出している導体部Ｗ１の先端Ｗ１ａ、導体圧着部４６、導体圧着部４６と被覆圧着部４８との間から外部にしみ出した第１防食材１１ａ、及び、被覆圧着部４８渡って、これらを覆う部位である。
【００５１】
第２塗布装置Ｍ６は、例えば、図７に示すように、高さ方向Ｚにおいて、基部４１が位置する側とは反対側にノズルＭ６ａを位置させ、当該ノズルＭ６ａから塗布対象部位１２ｂに対して第２防食材１２ａの液滴を射出し塗布する。塗布対象部位１２ｂに塗布された第２防食材１２ａは、塗布対象部位１２ｂにおいて被膜を構成し、すなわち、圧着端子１から露出している導体部Ｗ１の先端Ｗ１ａ、導体圧着部４６、導体圧着部４６と被覆圧着部４８との間から外部にしみ出した第１防食材１１ａ、及び、被覆圧着部４８に渡ってこれらを一体で覆う。より詳細には、第２防食材１２ａは、導体部Ｗ１の先端Ｗ１ａ、導体圧着部４６の一部、導体部Ｗ１の中間露出部Ｗ１ｂからしみ出した第１防食材１１ａ、絶縁被覆部Ｗ２の端末Ｗ２ａ、中間部４７の一部、及び、被覆圧着部４８の一部を一体に覆う。導体部Ｗ１の先端Ｗ１ａは、導体圧着部４６から電気接続部２側に向けて露出している部分である。導体部Ｗ１の中間露出部Ｗ１ｂは、上述したように導体圧着部４６と絶縁被覆部Ｗ２の端末Ｗ２ａとの間で露出している部分である。また、第２防食材１２ａは、少なくともバレル片部４２、４３の先端部が向かい合うことで形成される溝部に充填されるように塗布されることが好ましい。さらに、第２防食材１２ａは、導体部Ｗ１の内方の素線間の間隙にも浸透する。
【００５２】
次に、制御装置Ｍ８は、圧着後塗布工程（ステップＳＴ５）の後に、図８に示すように、硬化工程として、硬化装置Ｍ７を制御し、第１防食材１１ａ、及び、第２防食材１２ａに対して光を照射し硬化させる硬化処理を実行し（ステップＳＴ６）、端子付き電線１００の製造方法を終了する。本実施形態の硬化装置Ｍ７は、硬化工程（ステップＳＴ６）では、圧着後塗布工程（ステップＳＴ５）の後に、第１防食材１１ａ、及び、第２防食材１２ａに対して一括で光を照射し硬化させる。硬化装置Ｍ７は、例えば、図８に示すように、高さ方向Ｚにおいて、基部４１が位置する側とは反対側に光源Ｍ７ａを位置させ、当該光源Ｍ７ａから第１防食材１１ａ、第２防食材１２ａに対して紫外線を照射する。光源Ｍ７ａから照射された紫外線は、導体部Ｗ１の素線の表面で乱反射し、隙間空間部６内に充填された状態の第１防食材１１ａや導体部Ｗ１の内部に浸透した第１防食材１１ａ、第２防食材１２ａまで届きこれらを硬化させる。第１防食材１１ａ、第２防食材１２ａは、光源Ｍ７ａから紫外線を照射されることで硬化しその形状を保持する。
【００５３】
図９に示すように、第１防食材１１ａは、圧着端子１の圧着前に塗布対象部位１１ｂに塗布され圧着後に隙間空間部６に充填された状態で紫外線が照射されることで、当該圧着端子１の内側の隙間空間部６内や導体部Ｗ１の中間露出部Ｗ１ｂ内、導体圧着部４６と被覆圧着部４８との間の部分等で硬化し第１防食止水部１１を形成する。これにより、第１防食止水部１１は、端子付き電線１００において、圧着端子１の内側の隙間空間部６内、及び、導体部Ｗ１において導体圧着部４６と被覆圧着部４８との間から外部に露出した部分で確実に止水することができる。また、第１防食材１１ａは、圧着端子１の圧着後に塗布対象部位１３ｂまで広がった状態で紫外線が照射されることで、被覆圧着部４８の端部４８ａ側で硬化し第３防食止水部１３を形成する。これにより、第３防食止水部１３は、端子付き電線１００において、被覆圧着部４８の端部４８ａ側で確実に止水することができる。一方、第２防食材１２ａは、圧着端子１から露出している導体部Ｗ１、導体圧着部４６、導体圧着部４６と被覆圧着部４８との間から露出する第１防食材１１ａ、及び、絶縁被覆部Ｗ２に渡ってこれらを一体で覆った状態で紫外線が照射されることで、圧着端子１の外側で硬化し第２防食止水部１２を形成する。これにより、第２防食止水部１２は、端子付き電線１００において、導体部Ｗ１の先端Ｗ１ａ、導体圧着部４６の一部、導体部Ｗ１の中間露出部Ｗ１ｂの第１防食材１１ａ（第１防食止水部１１）、絶縁被覆部Ｗ２の端末Ｗ２ａ、中間部４７の一部、及び、被覆圧着部４８の一部を覆って一体で確実に止水することができる。言い換えれば、第２防食止水部１２は、導体部Ｗ１の露出部分を外部空間から遮断し確実に止水することができる。
【００５４】
以上で説明した端子付き電線１００の製造方法、及び、製造装置Ｍでは、圧着端子１を電線Ｗに圧着する前に、圧着端子１において隙間空間部６を形成することとなる塗布対象部位１１ｂに第１防食材１１ａを塗布する。隙間空間部６は、圧着端子１と導体部Ｗ１と絶縁被覆部Ｗ２の端末Ｗ２ａとによって囲まれた空間部である。その後、この製造方法、製造装置Ｍでは、導体圧着部４６、被覆圧着部４８を導体部Ｗ１、絶縁被覆部Ｗ２に圧着すると共に、当該圧着に伴って第１防食材１１ａを導体部Ｗ１を介して当該導体圧着部４６と当該被覆圧着部４８との間から外部にしみ出させる。これにより、この製造方法、製造装置Ｍでは、圧着端子１と導体部Ｗ１と絶縁被覆部Ｗ２の端末Ｗ２ａとによって囲まれた隙間空間部６に加えて、電線Ｗの導体部Ｗ１において導体圧着部４６と被覆圧着部４８との間から外部に露出する部分を第１防食材１１ａによって確実に止水することができる。言い換えれば、この製造方法、製造装置Ｍでは、圧着端子１を電線Ｗに圧着する前に圧着端子１に塗布された第１防食材１１ａによって、圧着端子１の圧着後に形成される隙間空間部６、及び、導体部Ｗ１において導体圧着部４６と被覆圧着部４８との間から外部に露出する部分に確実に第１防食止水部１１を形成し止水することができる。これにより、この製造方法、製造装置Ｍでは、圧着端子１の圧着後では第１防食材１１ａを塗布し難い圧着端子１の内側の隙間空間部６や導体部Ｗ１において導体圧着部４６と被覆圧着部４８との間に位置する部分の内部等に確実に第１防食止水部１１を設け止水することができる。
【００５５】
またこの場合、この製造方法、製造装置Ｍでは、導体部Ｗ１の導体圧着部４６と被覆圧着部４８との間の部分において、導体圧着部４６、被覆圧着部４８の圧着の際に付加される力を利用して第１防食材１１ａを導体部Ｗ１の各素線の間に素早く確実に浸透させることができる。これにより、この製造方法、製造装置Ｍでは、例えば、導体部Ｗ１の導体圧着部４６と被覆圧着部４８との間の部分に対して外側から第１防食材１１ａを塗布するような場合と比較して、第１防食材１１ａを導体部Ｗ１の内部に浸透させるために要する期間を短縮することができる。
【００５６】
上記のように、この製造方法、製造装置Ｍでは、導体部Ｗ１周りを確実に止水し水分等が当該導体部Ｗ１側に向けて導体部Ｗ１と圧着端子１との間に浸入することを確実に規制し、適正な止水性能を確保した端子付き電線１００を製造することができる。この結果、この製造方法、及び、製造装置Ｍでは、適正な止水性能を確保した端子付き電線１００を製造することができ、当該端子付き電線１００において、適正な防食性能を確保することができる。例えば、端子付き電線１００は、導体部Ｗ１の材料がアルミニウム、圧着端子１の材料が銅である場合、両者の間に水が浸入するとイオン化傾向の違いによって導体部Ｗ１が腐食（ガルバニック腐食）してしまうおそれがある。これに対して、端子付き電線１００は、上記のように水の浸入が規制されることで、当該腐食の発生を抑制することができる。
【００５７】
ここでは、以上で説明した端子付き電線１００の製造方法、及び、製造装置Ｍでは、圧着端子１の導体圧着部４６が被覆圧着部４８側の端部に凸部４６ｃを有している。これにより、この製造方法、製造装置Ｍでは、圧着浸透工程（ステップＳＴ３）において、凸部４６ｃによって、圧着に伴って第１防食材１１ａが導体圧着部４６と導体部Ｗ１との凝着部位側に押し出されることを抑制することができる。この結果、圧着端子１は、電線Ｗに圧着された状態で、導体圧着部４６と導体部Ｗ１とが接触して導通する部分に第１防食材１１ａを介在させずに、導体圧着部４６と導体部Ｗ１とを直接接触させ導通することができる。これにより、この圧着端子１は、確実に適正な導通性能も確保することができる。そして、この製造方法、製造装置Ｍでは、圧着浸透工程（ステップＳＴ３）において、上記のように第１防食材１１ａが凝着部位側に逃げないようにすることができるので、第１防食材１１ａを確実に導体部Ｗ１の内部に浸透させ導体圧着部４６と被覆圧着部４８との間から外部にしみ出させるようにすることができる。この結果、この製造方法、製造装置Ｍでは、端子付き電線１００において、適正な止水防食性能保証と適正な導通性能確保とを両立することができる。
【００５８】
さらに、以上で説明した製造方法、製造装置Ｍでは、圧着前塗布工程（ステップＳＴ２）において、圧着端子１が電線Ｗに圧着された状態で被覆圧着部４８の端部４８ａが位置することとなる塗布対象部位１３ｂにも第１防食材１１ａが広がるように当該第１防食材１１ａを塗布する。したがって、この製造方法、製造装置Ｍでは、塗布対象部位１３ｂに塗布され硬化した第１防食材１１ａ、すなわち、第３防食止水部１３によって被覆圧着部４８の導体圧着部４６側とは反対側の端部４８ａが位置する部位を確実に止水することができる。この結果、この製造方法、製造装置Ｍでは、より適正な止水性能を確保した端子付き電線１００を製造することができる。
【００５９】
さらに、以上で説明した製造方法、製造装置Ｍでは、圧着端子１から露出している導体部Ｗ１、導体圧着部４６、導体圧着部４６と被覆圧着部４８との間から露出する第１防食材１１ａ、及び、絶縁被覆部Ｗ２に渡って第２防食材１２ａを塗布しこれらを当該第２防食材１２ａによって覆う。この結果、この製造方法、製造装置Ｍでは、圧着端子１を電線Ｗに圧着した後に圧着端子１に塗布された第２防食材１２ａによって当該各部を確実に止水することができる。これにより、この製造方法、製造装置Ｍでは、導体部Ｗ１周りを確実に止水し水分等が当該導体部Ｗ１側に向けて導体部Ｗ１と圧着端子１との間に浸入することより確実に規制し、より適正な止水性能を確保した端子付き電線１００を製造することができる。
【００６０】
ここでは、以上で説明した製造方法、製造装置Ｍでは、第１防食材１１ａ、及び、第２防食材１２ａが光硬化樹脂であり、硬化工程（ステップＳＴ６）において、第１防食材１１ａ、第２防食材１２ａに対して光を照射し硬化させることで、第１防食止水部１１、第２防食止水部１２、第３防食止水部１３を形成することができる。また、以上で説明した製造方法、製造装置Ｍでは、硬化工程（ステップＳＴ６）において、第１防食材１１ａ、及び、第２防食材１２ａに対して一括で紫外線を照射し硬化させる。この結果、この製造方法、製造装置Ｍでは、製造工程を短縮化することができ、効率的に端子付き電線１００を製造することができる。
【００６１】
［変形例］
なお、以上で説明した硬化工程（ステップＳＴ６）では、第１防食材１１ａ、及び、第２防食材１２ａに対して一括で光を照射し硬化させるものとして説明したがこれに限らない。
【００６２】
図１０、図１１は、変形例に係る端子付き電線１００の製造方法（端子付き電線製造方法）、及び、端子付き電線製造装置としての製造装置ＭＡを示す図である。本変形例に係る端子付き電線１００の製造方法は、硬化工程（ステップＳＴ６）が第１硬化工程（ステップＳＴ６Ａ）と第２硬化工程（ステップＳＴ６Ｂ）とを含む点で上述した実施形態と異なり、その他は当該上述した実施形態とほぼ同様である。これに応じて、本変形例に係る製造装置ＭＡは、硬化装置Ｍ７が第１硬化装置Ｍ７Ａ、及び、第２硬化装置Ｍ７Ｂを備える点で異なり、その他は当該上述した実施形態とほぼ同様である。第１硬化装置Ｍ７Ａ、第２硬化装置Ｍ７Ｂは、上述した硬化装置Ｍ７とほぼ同様の構成であり、光源Ｍ７ａから第１防食材１１ａ、第２防食材１２ａを硬化させるための光、ここでは、紫外線を照射可能に構成される。製造装置ＭＡは、端子切断装置Ｍ５と第２塗布装置Ｍ６との間に第１硬化装置Ｍ７Ａが設けられ、第２塗布装置Ｍ６の後段側に第２硬化装置Ｍ７Ｂが設けられる。本変形例に係る制御装置Ｍ８は、第１塗布装置Ｍ３によって第１防食材１１ａを塗布した後、圧着装置Ｍ４によって圧着端子１を電線Ｗに圧着し、硬化装置Ｍ７としての第１硬化装置Ｍ７Ａによって第１防食材１１ａを硬化させる処理を実行する。その後、制御装置Ｍ８は、第２塗布装置Ｍ６によって第２防食材１２ａを塗布し、硬化装置Ｍ７としての第２硬化装置Ｍ７Ｂによって第２防食材１２ａを硬化させる処理を実行する。以下、本変形例の各工程について詳細に説明する。ただし、上述した実施形態と同様の構成要素には共通の符号が付されるとともに、共通する構成、作用、効果については、重複した説明はできるだけ省略する。
【００６３】
本変形例に係る端子付き電線１００の製造方法では、切断工程（ステップＳＴ４）の後に、第１硬化工程（ステップＳＴ６Ａ）が実行される。制御装置Ｍ８は、圧着浸透工程（ステップＳＴ３）の後でかつ圧着後塗布工程（ステップＳＴ５）の前、ここでは、切断工程（ステップＳＴ４）の後でかつ圧着後塗布工程（ステップＳＴ５）の前に、第１硬化工程として、第１硬化処理を実行する（ステップＳＴ６Ａ）。すなわち、制御装置Ｍ８は、第１硬化工程（ステップＳＴ６Ａ）として、第１硬化装置Ｍ７Ａを制御し、第１防食材１１ａに対して紫外線（光）を照射し硬化させる第１硬化処理を実行する。また、変形例に係る端子付き電線１００の製造方法では、圧着後塗布工程（ステップＳＴ５）の後に、第２硬化工程（ステップＳＴ６Ｂ）が実行される。制御装置Ｍ８は、圧着後塗布工程（ステップＳＴ５）の後に、第２硬化処理を実行し（ステップＳＴ６Ｂ）、端子付き電線１００の製造方法を終了する。すなわち、制御装置Ｍ８は、第２硬化工程（ステップＳＴ６Ｂ）として、第２硬化装置Ｍ７Ｂを制御し、第２防食材１２ａに対して紫外線（光）を照射し硬化させる第２硬化処理を実行し、端子付き電線１００の製造方法を終了する。この場合であっても、この製造方法、製造装置ＭＡでは、上記と同様に、導体部Ｗ１周りを確実に止水し、適正な止水性能を確保した端子付き電線１００を製造することができる。
【００６４】
なお、上述した本発明の実施形態、変形例に係る端子付き電線製造方法、及び、端子付き電線製造装置は、上述した実施形態に限定されず、特許請求の範囲に記載された範囲で種々の変更が可能である。  本実施形態に係る端子付き電線製造方法、及び、端子付き電線製造装置は、以上で説明した実施形態、変形例の構成要素を適宜組み合わせることで構成してもよい。
【００６５】
以上の説明では、第１防食材１１ａと第２防食材１２ａとは、典型的には、同じＵＶ硬化型樹脂を用いることができるが、例えば、それぞれの塗布時の状況等に応じて異なるものを用いてもよく、例えば、粘度等を相互に異ならせてもよい。
【００６６】
また、以上の説明では、制御装置Ｍ８は、圧着前塗布工程（ステップＳＴ２）では、圧着端子１の圧着後に塗布対象部位１３ｂにも第１防食材１１ａが広がるように当該第１防食材１１ａを塗布するものとして説明したがこれに限らない。また、以上の説明では、端子付き電線製造方法は、圧着後塗布工程（ステップＳＴ５）を含むものとして説明したがこれに限らない。つまり、以上の説明では、防食止水部１０は、第１防食止水部１１、第２防食止水部１２、及び、第３防食止水部１３を含んで構成されるものとして説明したがこれに限らず、第１防食止水部１１を有していれば、第２防食止水部１２、第３防食止水部１３を有していなくてもよい。
【００６７】
また、以上の説明では、第１防食材１１ａ、第２防食材１２ａは、ともにＵＶ硬化型樹脂であるものとして説明したがこれに限らない。第１防食材１１ａ、第２防食材１２ａは、例えば、熱を加えることで硬化する熱硬化型樹脂であってもよい。
【符号の説明】
【００６８】
１    圧着端子
２    電気接続部
３    連結部
４    電線圧着部
５    端子金具
６    隙間空間部
１０    防食止水部
１１    第１防食止水部
１１ａ    第１防食材
１１ｂ    塗布対象部位
１２    第２防食止水部
１２ａ    第２防食材
１２ｂ    塗布対象部位
１３    第３防食止水部
１３ｂ    塗布対象部位
４１    基部
４２、４３、４４、４５    バレル片部
４６    導体圧着部
４６ａ    セレーション
４６ｂ、４６ｃ    凸部
４７    中間部
４８    被覆圧着部
４８ａ    端部
１００    電線
Ｍ、ＭＡ    製造装置（端子付き電線製造装置）
Ｍ１    皮剥き装置
Ｍ２    端子供給装置
Ｍ３    第１塗布装置
Ｍ４    圧着装置
Ｍ５    端子切断装置
Ｍ６    第２塗布装置
Ｍ７    硬化装置
Ｍ７Ａ    第１硬化装置
Ｍ７Ｂ    第２硬化装置
Ｍ８    制御装置
Ｗ    電線
Ｗ１    導体部
Ｗ１ａ    先端
Ｗ１ｂ    中間露出部
Ｗ２    絶縁被覆部
Ｗ２ａ    端末
Ｘ    軸方向（延在方向）
Ｙ    幅方向
Ｚ    高さ方向
【図１】
2020144979.tif 000003
【図２】
2020144979.tif 000004
【図３】
2020144979.tif 000005
【図４】
2020144979.tif 000006
【図５】
2020144979.tif 000007
【図６】
2020144979.tif 000008
【図７】
2020144979.tif 000009
【図８】
2020144979.tif 000010
【図９】
2020144979.tif 000011
【図１０】
2020144979.tif 000012
【図１１】
2020144979.tif 000013